(57)【要約】      （修正有）【課題】閃光ユニット（発光手段）を備えた撮像装置を小型化する。【解決手段】撮像装置１００は、ミラーレスタイプの撮像装置であって、レンズユニットを着脱可能なマウント手段１０５と、前記レンズユニットを介して入射した光から画像信号を生成する撮像手段と、発光手段９９と、前記発光手段９９に電力を供給する蓄電手段と、を備える。前記蓄電手段を、前記マウント手段１０５の後方で、かつ、前記撮像手段の下方に配する。【選択図】図１
2011065147.tif 000002
【特許請求の範囲】
【請求項１】
ミラーレスタイプの撮像装置であって、
レンズユニットを着脱可能なマウント手段と、
前記レンズユニットを介して入射した光から画像信号を生成する撮像手段と、
発光手段と、
前記発光手段に電力を供給する蓄電手段と、
を備え、
前記蓄電手段は、前記マウント手段の後方で、かつ、前記撮像手段の下方に配されている、
ことを特徴とする撮像装置。
【請求項２】
前記撮像手段は、光学ローパスフィルターを含む、
ことを特徴とする請求項１に記載の撮像装置。
【請求項３】
前記撮像手段は、赤外線カットフィルターを含む、
ことを特徴とする請求項１に記載の撮像装置。
【請求項４】
前記撮像手段は、塵埃除去手段を含む、
ことを特徴とする請求項１に記載の撮像装置。
【請求項５】
前記蓄電手段は、円筒型コンデンサである、
ことを特徴とする請求項１から４のいずれかに記載の撮像装置。
【請求項６】
前記円筒型コンデンサの中心軸が前記撮像装置の幅方向に略並行になるように、前記円筒型コンデンサが配される、
ことを特徴とする請求項５に記載の撮像装置。
【請求項７】
前記発光手段は、撮像装置本体から出没可能なポップアップ式の閃光ユニットである、
ことを特徴とする請求項１から６のいずれかに記載の撮像装置。
【発明の詳細な説明】
【技術分野】
【０００１】
本発明は、レンズ交換が可能な一眼タイプの撮像装置に関する。
【背景技術】
【０００２】
近年、コンパクトタイプのデジタルカメラよりも高画質な画像を撮影することができる一眼レフタイプのデジタルカメラが普及しつつある。
【０００３】
特許文献１には、一眼レフタイプのデジタルカメラの構成が開示されている。特許文献１に開示された一眼レフカメラのカメラボディでは、光軸上にレンズマウント、ミラーボックス、シャッター装置、撮像センサー（撮像手段）がこの順に配置されている。ミラーボックスは、撮影を行っていない時に、レンズを介して入射する光をプリズムを介して光学ファインダー側へ導くための可動ミラーを備えている。使用者によってレリーズボタンが押圧操作されることで、可動ミラーが回動して光軸上から退避し、レンズを介して入射する光が撮像センサーに入射する。撮像センサーは、入射する光を電気信号に変換して出力する。出力された電気信号は、信号処理回路に送られ画像信号が生成される。
【先行技術文献】
【特許文献】
【０００４】
【特許文献１】特開２００７−７２３０４号公報
【発明の概要】
【発明が解決しようとする課題】
【０００５】
特許文献１に開示された構成では、レンズマウントとシャッター装置との間にミラーボックスを備えているため、カメラボディの光軸方向の厚さ寸法を小さくすることが困難である。
【０００６】
また、閃光ユニット（発光手段）を備えたカメラにおいては、閃光ユニットだけでなく、閃光ユニットに電力を供給するコンデンサ（蓄電手段）もカメラボディ内に収容しなければならず、カメラボディの小型化が困難である。
【０００７】
本発明は、閃光ユニット（発光手段）を備えた撮像装置を小型化することを目的とする。
【課題を解決するための手段】
【０００８】
本態様の撮像装置は、レンズユニットを着脱可能なマウント手段と、画像信号を生成する撮像手段と、発光手段と、前記発光手段に電力を供給する蓄電手段と、を備え、前記蓄電手段は、前記マウント手段の後方で、かつ、前記撮像手段の下方に配されている、ことを特徴とする。
【発明の効果】
【０００９】
本態様の撮像装置によれば、蓄電手段を撮像手段の下方に配したので、撮像装置を小型化することができる。さらに、蓄電手段は撮像手段の下方に配置されているので、撮像手段の発熱の蓄電手段への影響を低減できる。
【図面の簡単な説明】
【００１０】
【図１】実施形態のデジタルカメラの斜視図である。（ａ）は、閃光ユニットが上面に収納された状態、（ｂ）は、閃光ユニットが上面からポップアップした状態を示す。
【図２】実施形態のデジタルカメラの上面図である。（ａ）は、閃光ユニットが上面に収納された状態、（ｂ）は、閃光ユニットが上面からポップアップした状態を示す。
【図３】実施形態のデジタルカメラの正面図である。（ａ）は、閃光ユニットが上面に収納された状態、（ｂ）は、閃光ユニットが上面からポップアップした状態を示す。
【図４】実施形態のデジタルカメラの側面図である。（ａ）は、閃光ユニットが上面に収納された状態、（ｂ）は、閃光ユニットが上面からポップアップした状態を示す。
【図５】実施形態の閃光ユニットの斜視図
【図６】実施形態の閃光ユニットの前後方向断面図である。（ａ）は、閃光ユニットが上面に収納された状態、（ｂ）は、閃光ユニットが上面からポップアップした状態を示す。
【図７】実施形態のデジタルカメラの前後方向断面図
【図８】実施形態のデジタルカメラの分解斜視図
【発明を実施するための形態】
【００１１】
１．実施の形態
１−１．外観
図１（ａ）、（ｂ）、図２（ａ）、（ｂ）、図３（ａ）、（ｂ）、図４（ａ）、（ｂ）は、閃光ユニットを備えたデジタルカメラの外観図である。図１（ａ）、（ｂ）は、デジタルカメラの斜視図である。図２（ａ）、（ｂ）は、デジタルカメラの上面図である。図３（ａ）、（ｂ）は、デジタルカメラの正面図である。図４（ａ）、（ｂ）は、デジタルカメラの側面図である。なお、図１（ａ）、（ｂ）、図２（ａ）、（ｂ）、図３（ａ）、（ｂ）、図４（ａ）、（ｂ）、および後述する図５、図６（ａ）、図６（ｂ）において、同一の部位には同じ符号を付した。
【００１２】
図１（ａ）、図２（ａ）、図３（ａ）、図４（ａ）は、閃光ユニット９９がデジタルカメラ１００の上面に収納された閉状態を表している。また図１（ｂ）、図２（ｂ）、図３（ｂ）、図４（ｂ）は、閃光ユニット９９がデジタルカメラ１００の上面から上方かつ前方に大きくポップアップした開状態を表している。
【００１３】
ここでデジタルカメラ１００の外観構成について、図１（ａ）、（ｂ）を用いて説明する。デジタルカメラ１００は、その筐体上面に閃光ユニット９９の他、レリーズ釦１０１、モードダイアル１０２等の各種操作部や外付装置用のシュー１０３を有する。レリーズ釦１０１は、使用者による操作を受け付けて、オートフォーカス動作や撮像した画像データの記憶動作を実行するための釦である。モードダイアル１０２は、絞り優先モード、シャッタースピード優先モード、マニュアルモードなどの撮影モードを切り替えるための釦である。また、シュー１０３は、外付け閃光装置や外付けファインダーなどを接続するために備えられており、これら外付装置と電気的および機械的に接続可能である。
【００１４】
閃光ユニット９９は、閃光ユニット上蓋１０４、閃光部１０７、第一リンクレバー２００、第二リンクレバー２２０、駆動レバー２１０などにより構成される。閃光ユニット９９の構成の詳細は後述する。閃光ユニット９９は、閉状態において、デジタルカメラ１００の上面内部の閃光ユニット収納箱３００（図６（ａ）、（ｂ）参照）に収納されている。収納状態においては閃光ユニット上蓋１０４のみが外部に露出する。また、閃光ユニット上蓋１０４は、デジタルカメラ１００の一方の肩部の上面全体を占めており、上蓋１０４の奥行はデジタルカメラ１００の奥行と同じである。これにより、閃光ユニット９９をデジタルカメラ１００の奥行の許す限り大きくして、閃光部１０７を高く持ち上げることができる。
【００１５】
デジタルカメラ１００の正面には、レンズマウント１０５や、レンズ取外し釦１０６などが備えられている。デジタルカメラ１００は、レンズマウント１０５を介してレンズ９８（図４（ｂ）参照）を装着することができる。レンズとしては種々のものを利用することができる。また、デジタルカメラ１００に装着されたレンズ９８は、レンズ取外し釦１０６を押下することにより取り外すことができる。
【００１６】
閃光ユニット９９は、開状態において、デジタルカメラ１００の上面から上方かつ前方に大きくポップアップする。これにより、閃光ユニット９９は、閃光部１０７の発光時において、レンズ９８の存在による閃光のケラレを回避することができる。
【００１７】
１−２．閃光ユニットの構成
図５は、閃光ユニット９９の斜視図である。図６（ａ）、図６（ｂ）は、閃光ユニット９９の前後方向断面を示す図である。図６（ａ）は、閃光ユニット９９がデジタルカメラ１００の上面に収納された閉状態を表している。また図６（ｂ）は、閃光ユニット９９がデジタルカメラ１００の上面から上方かつ前方に大きくポップアップした開状態を表している。
【００１８】
図１（ｂ）、図４（ｂ）、図５、図６（ｂ）に示すように、閃光ユニット９９は、閃光ユニット上蓋１０４、閃光部１０７、第一リンクレバー２００、第二リンクレバー２２０、駆動レバー２１０を有する。また、閃光ユニット９９は、図６（ｂ）に示すように、閃光ユニット収納箱３００、起立釦６００、係止部６１０、被係止部６２０を有する。
【００１９】
以下の説明では、図６（ａ）、図６（ｂ）に示すように、ポップアップ状態において閃光部１０７の発光面１０７ａが向く側を閃光ユニット９９の正面側、その反対側を閃光ユニット９９の裏側と呼ぶこととする。また、図５に示すように、閃光部１０７が正面を向いた状態のときにおける向かって右側を閃光ユニット９９の右側、その反対側を閃光ユニット９９の左側と呼ぶこととする。
【００２０】
以下、図６（ａ）、図６（ｂ）を中心として参照しながら、閃光ユニット９９の構造等について具体的に説明する。閃光ユニット上蓋１０４は、閃光を放射する閃光部１０７を有している。閃光部１０７は、閃光ユニット９９の閉状態時において前後方向においてデジタルカメラ１００の正面側近傍に位置する。閃光部１０７は、閃光ユニット収納箱３００に収納されているときにはデジタルカメラ１００の外部に露出しない。閃光部１０７は、閃光体としてのキセノン管、反射板としての反射傘、反射傘保持枠、フレネルレンズを有している。閃光ユニット９９は、コンデンサ、昇圧回路、発光トリガ回路を含む閃光回路に接続されている。閃光回路はデジタルカメラ１００内部に備えられている。閃光回路は、デジタルカメラ１００各部の動作を統括制御するコントローラーからの制御信号に従って、閃光部１０７の閃光を制御する。
【００２１】
閃光部１０７は被係止部６２０を有している。閃光ユニット９９の閉状態時において、この被係止部６２０は、閃光ユニット収納箱３００が内部に有する係止部６１０により係止される（なお、図６（ａ）には係止された状態は記載されていない）。起立釦６００は、係止部６１０と動作が連動する。起立釦６００が押下されることにより、被係止部６２０と係止部６１０との係止状態が解除される。
【００２２】
駆動レバー２１０は、閃光ユニット上蓋１０４と閃光ユニット収納箱３００とをリンクする（接続する）。駆動レバー２１０は、閃光ユニット９９の閉状態時の裏側付近においてピン２１０ａによりその一端を回動可能に支持されている。また、駆動レバー２１０は、閃光ユニット収納箱３００の正面側下部付近においてピン２１０ｂによりその他端を回動可能に支持されている。駆動レバー２１０は、ピン２１０ｂ付近に存在する弦巻バネ２１０ｃによりポップアップ方向に（図６（ｂ）においてピン２１０ｂを中心として左回り方向に）付勢されている。すなわち、閃光ユニット９９の閉状態時において起立釦６００が押下されると、被係止部６２０と係止部６１０との係止状態が解除され、駆動レバー２１０は弦巻バネ２１０ｃの付勢によりポップアップする（ピン２１０ｂを中心として左回り方向に回動し、略起立する）。
【００２３】
また、閃光ユニット上蓋１０４は、ピン２１０ａ付近に存在する弦巻バネ２１０ｄにより、閃光部１０７が上方へと持ち上がる方向に（図６（ｂ）においてピン２１０ａを中心として右回り方向に）付勢されている。すなわち、駆動レバー２１０がポップアップすると（図６（ｂ）においてピン２１０ｂを中心として左回り方向に回動すると）、それに伴い図６（ｂ）に示すように閃光ユニット上蓋１０４は閃光部１０７が上方に位置するように起き上がる（ピン２１０ａを中心として右回り方向に回動し、略起立する）。このとき、閃光ユニット上蓋１０４は、閉状態時には外部に露出させていない閃光部１０７の発光面１０７ａを正面に向ける。またこのとき、閃光ユニット上蓋１０４の全体が閃光ユニット収納箱３００の上方に突出する。これにより、閃光ユニット９９は、駆動レバー２１０がポップアップした高さ相当分（駆動レバー２１０の長さ相当分）に加えて閃光ユニット上蓋１０４が起き上がった分（閃光ユニット上蓋１０４の奥行相当分）、使用位置を高くすることができる。
【００２４】
第一リンクレバー２００は、閃光ユニット上蓋１０４と閃光ユニット収納箱３００とをリンクする。第一リンクレバー２００は、閃光ユニット収納箱３００の正面側上部付近においてピン２００ａによりその一端を回動可能に支持されている。また、第一リンクレバー２００は、閃光ユニット上蓋１０４の裏側付近でピン２００ｂによりその他端を回動可能に支持されている。また、第一リンクレバー２００は、長手方向中央付近に位置止めピン２００ｃを有する。なお、上述したのは、閃光ユニット９９の左側に備えられた第一リンクレバー２００であるが、同様の構成のリンクレバーは閃光ユニット９９の右側にも備えられている。
【００２５】
第一リンクレバー２００と閃光ユニット上蓋１０４との接続部の位置（ピン２００ａの位置）は、駆動レバー２１０と閃光ユニット上蓋１０４との接続部の位置（ピン２１０ａの位置）とは異なっている（図６（ｂ）参照）。すなわち、上蓋１０４は、第一リンクレバー２００と駆動レバー２１０とで２点で支持されている。また、第一リンクレバー２００と閃光ユニット収納箱３００との接続部の位置（ピン２００ｂの位置）は、図６（ｂ）から明らかなように、駆動レバー２１０と閃光ユニット収納箱３００との接続部の位置（ピン２１０ｂの位置）とは異なっている。このように、閃光ユニット上蓋１０４は、第一リンクレバー２００と駆動レバー２１０とで支持されているので、閃光ユニット上蓋１０４及び閃光部１０７がこれらのレバー２００，２１０によって持ち上げられる際、一定の軌跡で安定して持ち上げられることとなる。また、閃光ユニット上蓋１０４を指等で上方から押して、閃光ユニット９９を収納位置に戻す場合に、閃光ユニット上蓋１０４は上述のように２点で支持されているので、ポップアップの軌道が不安定になることなく一定の軌跡でスムーズに押し下げることができる。
【００２６】
第二リンクレバー２２０は、第一リンクレバー２００と閃光ユニット収納箱３００とをリンクする（接続する）。第二リンクレバー２２０は、閃光ユニット収納箱３００の裏側上面付近にピン２２０ａにより一端を回動可能に支持されている。また、第二リンクレバー２２０は、他端側において長手方向に延びる長孔２２０ｂを有している。第一リンクレバー２００の位置止めピン２００ｃは、第二リンクレバー２２０の長孔２２０ｂに嵌められ、この長孔２２０ｂ内部を移動可能である。位置止めピン２００ｃが長孔２２０ｂ内部においてピン２２０ａ側に移動した場合、第一リンクレバー２００および第二リンクレバー２２０は、ピン２００ａおよびピン２１０ｂを中心として右回りに回転して、起立状態から横倒状態となり、閃光部１０７は閃光ユニット収納箱３００に収納される。一方、位置止めピン２００ｃが長孔２２０ｂ内部において正面側に移動した場合、位置止めピン２００ｃが、長孔２２０ｂの端部に当接し、弦巻バネ２１０ｃのポップアップ方向の付勢による第一リンクレバー２００の起立方向への所定量以上の移動を止める。特に第二リンクレバー２２０は、第一リンクレバー２００がほぼ起立状態である位置において移動を止める。このとき、閃光ユニット上蓋１０４の位置が使用位置に保持される。これにより、閃光部１０７の使用位置の高さを、収納状態のときよりも、ほぼ、第一リンクレバー２００の長さ分と閃光ユニット上蓋１０４の奥行き分とを合計した分高くすることができる。
【００２７】
なお、第二リンクレバー２２０は、駆動レバー２１０が付勢によりポップアップするのに従って、ピン２２０ａを回転軸として閃光ユニット収納箱３００から上方斜めに向く。つまり、第二リンクレバー２２０の長孔２２０ｂも上方斜めに向く。位置止めピン２００ｃがこの上方斜めに向いた長孔２２０ｂ内を上方斜めに移動することで、閃光ユニット上蓋１０４は、その全体が上方のみならず前方に大きく繰り出す。なお上述したのは、閃光ユニット９９の左側に備わる第二リンクレバー２２０であるが、同様の構成のリンクレバーは閃光ユニット９９の右側にも備えられている。
【００２８】
また、閃光ユニット９９の右側および左側の第一リンクレバー２００同士は、補強架橋２４０により連結されている。これにより、第一リンクレバー２００を、閃光ユニット９９のポップアップに耐える強度に補強することができる。よって、閃光ユニット９９のポップアップ動作を安定して行わせることができる。
【００２９】
以上のように、実施の形態１の閃光ユニット９９によれば、デジタルカメラ１００の筐体内部にコンパクトに収納可能であると共に、デジタルカメラ１００に対して上方のみならず前方に大きくポップアップする閃光ユニットを実現することができる。すなわち、閃光ユニット上蓋１０４の裏側端部が、第一リンクレバー２００と、第二リンクレバー２２と、駆動レバー２１０とからなる機構により閉状態時よりも前方に大きく繰り出す。そのため、閃光部１０７は、高さ方向のみならず前方にも大きく繰り出す。これにより、デジタルカメラ１００に内蔵の閃光ユニットでありながら、レンズ９８の存在によるケラレを回避する閃光ユニットを提供することができる。
【００３０】
また、実施の形態１の閃光ユニット９９は、閃光ユニット上蓋１０４を、デジタルカメラ１００の一方の肩部の上面全体を占めるように、構成している。そのため、閃光部１０７を大きくすることが可能であると共に、閃光ユニット上蓋１０４の奥行相当分、すなわちデジタルカメラ１００の奥行相当分を加えて、閃光ユニット９９のポップアップ時には閃光部１０７の使用位置を高くすることができる。また、閃光ユニット上蓋１０４が上方に突出しているときに、閃光ユニット上蓋１０４は前傾状態となるように設定しているので、閃光部１０７の発光面１０７ａをデジタルカメラ１００の前面（レンズ９８が取り付けられる面）よりも前方に突出させることもできる。
【００３１】
また、第一リンクレバー２００は、一端が閃光ユニット収納箱３００の前部に回動可能に接続され、他端が閃光ユニット上蓋１０４の後部に回動可能に接続され、閃光部１０７は、閃光ユニット上蓋１０４の裏面に取り付けられている。これにより、閃光ユニット９９をポップアップさせたときに、閃光部１０７を図６（ｂ）のように可能な限りデジタルカメラ１００の正面側でかつ高い位置に位置させることができる。また、閃光部１０７は、閃光ユニット上蓋１０４の裏面において、前端部近傍に取り付けられているので、閃光部１０７を一層高い位置に位置させることができる。
【００３２】
また、閃光部１０７の非使用時においては、第一リンクレバー２００は、閃光ユニット収納箱３００内にほぼ横倒し状態で収納されるので、閃光ユニット９９をコンパクトに構成することができる。
【００３３】
ここで、駆動レバー２１０は、筒状の構造であり、駆動レバー２１０の内部空間に、閃光ユニット収納箱３００側と閃光部１０７とを接続する電気配線２５０が通されている。この構造によれば、閃光ユニット９９がポップアップする際、電気配線２５０が第一リンクレバー２００や第二リンクレバー２２０と干渉しないように電気配線２５０を良好に保護することができる。
【００３４】
なお、上記説明においては、駆動レバー２１０が弦巻バネ２１０ｃによる付勢を受けてポップアップする場合で説明したが、第一リンクレバー２００が付勢を受けてポップアップするような構成にしてもよい。
【００３５】
１−３．デジタルカメラの内部の構成
閃光部（発光部）１０７を発光させるための電力は、電気配線（ケーブル）２５０を経由して、デジタルカメラ１００の下部に組み込まれたコンデンサから供給される。
【００３６】
図７は、本実施の形態に係るデジタルカメラの前後方向断面図である。直線Ｌは、光軸を示しており、直線Ｍは、マウント面を示している。
【００３７】
本実施の形態に係るデジタルカメラ１００は、いわゆる一眼レフ方式ではなく、光学ファインダーを備えない。そのため、デジタルカメラ１００は、入射光を光学ファインダーと撮像素子のいずれに到達させるかを切り替える可動ミラーを含むミラーボックスを備えない。また、デジタルカメラ１００は、可動ミラーで反射した入射光を光学ファインダーの接眼レンズに導くペンタプリズムまたはペンタミラーも備えない。デジタルカメラ１００は、撮像素子１５６が生成した画像を背面に設けられた液晶モニター１５８に表示する。これによって、ユーザは、被写体像を液晶モニター１５８で視認して構図を決定することができる。なお、一眼レフ方式のデジタルカメラにおいて光学ファインダーが配置される位置に、撮像素子１５６が生成した画像を表示する電子ビューファインダーを備えても構わない。
【００３８】
このように、デジタルカメラ１００は、一眼レフ方式のデジタルカメラが備えるミラーボックス等の部品を備えないいわゆるミラーレスタイプの撮像装置であるため、特に光軸Ｌ方向の薄型化が実現される。一方、デジタルカメラ１００の内部には、多くの部品が密集して配置されている。光軸Ｌに沿ってマウント１０５側から、シャッター１５３、超音波フィルター１５４、光学ローパスフィルター１５５、撮像素子１５６、メイン基板１５７が配される。また、デジタルカメラ１００の背面には、液晶モニター１５８が配される。さらに、デジタルカメラ１００の下部には、デジタルカメラ１００を三脚に固定する際、三脚に設けられたネジを受ける三脚穴１６０が設けられている。
【００３９】
マウント１０５は、レンズ９８側のマウントと機械的・電気的に結合する。マウント１０５は、レンズ９８をデジタルカメラ１００に固定する。マウント１０５は、デジタルカメラ１００からレンズ９８への電力供給とレンズ９８・デジタルカメラ１００間の通信を実現する。超音波フィルター１５４は、振動幕とこれを駆動する圧電素子とから構成されている。圧電素子に所定の周波数の電圧を加えることで振動幕が振動する。もって、超音波フィルター１５４は、振動幕に付着した塵埃を除去することができる。光学ローパスフィルター１５５は、撮像素子１５６の分解能を超える空間周波数の入射光をカットするための光学フィルターである。撮像素子１５６には、ＣＣＤセンサーやＣＭＯＳセンサー等の個体撮像素子が用いられる。ただし、ＣＣＤセンサーやＣＭＯＳセンサー以外の個体撮像素子を利用してもよい。撮像素子１５６の前面には赤外線カットフィルターが配される。なお、超音波フィルター１５４、光学ローパスフィルター１５５、撮像素子１５６は、撮像素子ユニット５００として一体に構成される場合も多い。
【００４０】
閃光ユニット９９の閃光部１０７に電気配線２５０を経由して電力を供給するコンデンサ１０９は、デジタルカメラ１００の下部に配置されている。コンデンサ１０９は、マウント１０５の背後であって、超音波フィルター１５４、光学ローパスフィルター１５５、撮像素子１５６からなる撮像素子ユニット５００の下方に配されている。これにより、デジタルカメラ１００を小型化することができる。また、撮像素子ユニット５００は、デジタルカメラ１００を構成する部品の中でも、比較的発熱が大きい。撮像素子ユニット５００で発生した熱は上昇する。本実施形態では、コンデンサ１０９は撮像素子ユニット５００の下方に配置されているので、撮像素子ユニット５００の熱のコンデンサ１０９への影響を低減できる。
【００４１】
また、コンデンサ１０９は円筒状の形状を有し、その中心軸は、デジタルカメラ１００の幅方向（デジタルカメラ１００の上面の長手方向）と略並行である。蓄電手段としてのコンデンサ１０９は、電解コンデンサであるが、電気二重層コンデンサ等、その他の方式のコンデンサであっても構わない。また、コンデンサ以外の蓄電手段であってもよい。
【００４２】
マウント１０５は、レンズ９８を取り付けるため所定の直径が必要である。一方、撮像素子１５６は、３５ｍｍフルサイズ、ＡＰＳ−Ｃサイズ、４／３サイズ等が規格化されているが、その高さは、マウント１０５の直径を上回るものではない。したがって、マウント１０５の後方であって、超音波フィルター１５４、光学ローパスフィルター１５５、撮像素子１５６からなる撮像素子ユニット５００の下方にはスペースが生じる。このスペースに円筒形状をなすコンデンサ１０９を配することで、デジタルカメラ１００をコンパクトにまとめることができる。撮像素子１５６の撮像面は、高さ方向よりも幅方向の方が長いのが通例である。そのため、マウント１０５の後方においては、撮像素子１５６の左右のスペースよりも、撮像素子１５６の下方のスペースの方が大きくなりやすい。さらに、撮像素子ユニット５００の左右には、後述するように多くの部品が配置される。したがって、コンデンサ１０９を、マウント１０５の後方で、かつ、撮像素子１５６の下方に配することは、デジタルカメラ１００の小型化に大きく貢献する。
【００４３】
なお、マウント１０５の後方であって、超音波フィルター１５４、光学ローパスフィルター１５５、撮像素子１５６からなる撮像素子ユニット５００の上部にも同様の理由でスペースが生じる。
【００４４】
図８は、本発明の実施の形態に係るデジタルカメラの分解斜視図である。デジタルカメラ１００は、光学ユニット７００、バッテリーユニット４００、メイン基板１５７をフロントケース１１１とリアケース１１２で包み込むように構成される。デジタルカメラ１００の上面は、トップケース１１３でカバーされる。
【００４５】
光学ユニット７００は、マウント１０５、シャッター１５３、撮像素子ユニット５００で構成される。撮像素子ユニット５００は、前述のように、超音波フィルター１５４、光学ローパスフィルター１５５、撮像素子１５６で構成される。撮像素子１５６の左側には、シャッター１５３を駆動するシャッター駆動部１１６が配置される。
【００４６】
シャッター駆動部１１６は、駆動力を発生するモータ１６０と、モータ１６０で発生した駆動力をシャッター１５３の先幕及び後幕に伝達する動力伝達機構１７０とを備える。シャッター駆動部１１６は、撮像素子ユニット５００の左側において大きなスペースを占める。
【００４７】
バッテリーユニット４００は、主にバッテリーケース１１７とコンデンサ１０９と三脚穴１６０で構成される。バッテリーケース１１７は、バッテリーに加えてメモリーカード等の記憶媒体をも収納することができる。このように、バッテリーユニット４００の右側は、バッテリーケース１１７でほぼ占有されている。
【００４８】
メイン基板１５７には、デジタルカメラ１００の各部を制御するＬＳＩや各種画像処理を行うＬＳＩ、バッテリーから供給される電源を制御するＩＣ等が実装されている。また、メイン基板１５７の左側には、デジタルカメラ１００と各種外部機器を接続するための端子群１１５が実装されている。端子群１１５は、例えば、パソコンに画像データを転送するためのＵＳＢ端子や大型テレビに画像を表示するためのＨＤＭＩ端子、ＡＶ−ＯＵＴ端子等である。端子群１１５は、端子カバー１１４によってカバーされている。
【００４９】
トップケース１１３の左側には、詳述した閃光ユニット９９が取り付けられている。閃光ユニット９９は、その駆動機構も含め、デジタルカメラ１００の下部に向かって延伸する形状となっている。
【００５０】
以上述べたように、デジタルカメラ１００内において撮像素子ユニット５００の左側の空間は、シャッター駆動部１１６、端子群１１５、閃光ユニット９９の延伸部９９ａによって占められている。一方、撮像素子ユニット５００の右側の空間は、バッテリーケース１１７によって占有されている。このような状況であっても、本実施形態によれば、コンデンサ１０９をマウント１０５の後方でかつ撮像素子１５６の下方に配するので、シャッター駆動部１１６や閃光ユニット９９の配置に影響を与えないで、コンデンサ１０９を配置することができる。このようにコンデンサ１０９を撮像素子１５６の下方に配することによって、デジタルカメラ１００の小型化が実現される。
【００５１】
また、撮像素子ユニット５００は、デジタルカメラ１００を構成する部品の中でも、比較的発熱が大きい。撮像素子ユニット５００で発生した熱は上昇する。本実施形態では、コンデンサ１０９は撮像素子ユニット５００の下方に配置されているので、撮像素子ユニット５００の熱のコンデンサ１０９への影響を低減できる。
【産業上の利用可能性】
【００５２】
本発明は、撮像装置を小型化することができ、デジタルカメラ等の撮像装置に広く適用可能、かつ有用である。
【符号の説明】
【００５３】
９９  閃光ユニット
１００  デジタルカメラ
１０５  マウント
１０２  フラッシュ
１０９  コンデンサ
１１１  フロントケース
１１２  リアケース
１１３  トップカバー
１１４  端子カバー
１１５  端子群
１１６  シャッター駆動部
１１７  バッテリーケース
１５３  シャッター
１５４  超音波フィルター
１５５  光学ローパスフィルター
１５６  撮像素子
１５７  メイン基板
１５８  液晶モニター
１６０  三脚穴
４００  バッテリーユニット
５００  撮像素子ユニット
７００  光学ユニット
【図１】
2011065147.tif 000003
【図２】
2011065147.tif 000004
【図３】
2011065147.tif 000005
【図４】
2011065147.tif 000006
【図５】
2011065147.tif 000007
【図６】
2011065147.tif 000008
【図７】
2011065147.tif 000009
【図８】
2011065147.tif 000010